(57)【要約】      （修正有）【課題】脚全体を温めることができるとともに、着用したまま歩く際の危険性を低減することができる脚温袋を提供する。【解決手段】上端に開口部２６を有し開口部から左右の脚を挿入して左右の脚を温めることが可能な脚温袋１であって、脚温袋の下端から上端に向けて絞り部９を形成可能であり、絞り部が形成されることにより脚温袋の下部が二股状に変形する。脚温袋の一面側から下端を通過して他面側に掛け渡され、一面に一端が取付けられた紐状体３を備え、絞り部は、紐状体の他端３Ｂを上方に向けて引き上げることで形成される。【選択図】図５
0003231703.tif 000002
【実用新案登録請求の範囲】
【請求項１】
上端に開口部を有し該開口部から左右の脚を挿入して該左右の脚を温めることが可能な脚温袋であって、
前記脚温袋の下端から前記上端に向けて絞り部を形成可能であり、前記絞り部が形成されることにより前記脚温袋の下部が二股状に変形することを特徴とする脚温袋。
【請求項２】
前記脚温袋の一面側から前記下端を通過して他面側に掛け渡され、前記一面に一端が取付けられた紐状体を備え、
前記絞り部は、前記紐状体の他端を上方に向けて引き上げることで形成されることを特徴とする請求項１に記載の脚温袋。
【請求項３】
前記紐状体は、前記脚温袋における左右方向の略中央部に配置され、左右方向への移動が規制されていることを特徴とする請求項２に記載の脚温袋。
【請求項４】
前記紐状体の他端を前記脚温袋の上部に係止可能な係止手段を備えることを特徴とする請求項２または３に記載の脚温袋。
【請求項５】
前記脚温袋の一面側から他面側へ掛け渡された肩紐を備えることを特徴とする請求項１ないし４のいずれかに記載の脚温袋。
【請求項６】
前記脚温袋の表面下部における前記絞り部の左右側には、高摩擦部材が設けられていることを特徴とする請求項１ないし５のいずれかに記載の脚温袋。
【請求項７】
前記脚温袋の表面と裏面とのうち少なくとも一方に、断熱材を配置可能なポケット部が設けられていることを特徴とする請求項１ないし６のいずれかに記載の脚温袋。
【考案の詳細な説明】
【技術分野】
【０００１】
本考案は、袋内に挿入した左右の脚を温めることが可能な脚温袋に関する。
【背景技術】
【０００２】
従来、例えば、寒冷時において机にて勉強や仕事をする際、脚が冷えて集中力が欠けてしまうことがある。部屋を暖めるためにエアコンを使う場合は、部屋の上層である天井付近から暖まるため、脚が暖まるまで時間を要して電気料金が嵩む。また、石油ストーブやファンヒーター等を使う場合においては、火元や換気を常に配慮する必要があるとともに、電気や灯油を使用すると地球温暖化の原因にも繋がることとなる。
【０００３】
電気や火を使用せず、脚を温めることができるものとして、厚手の布地等からなるブランケットがある（例えば、特許文献１参照）。このようなブランケットは、一般的に布地を長方形状に裁断して形成されており、着座時において使用者の脚に掛けたり巻き付けたりすることで使用者の脚が温められるが、脚裏や足先などは外部に露出するので、脚全体を温めることは困難であった。
【先行技術文献】
【特許文献】
【０００４】
【特許文献１】特開２０２０−１７２７１８号公報（第２頁、第３図）
【考案の概要】
【考案が解決しようとする課題】
【０００５】
そこで、厚手の生地を上端が開放された袋状に形成し、袋内に左右の脚を挿入して脚全体を温めることができる脚温袋が製品化されている。この脚温袋は、袋内に挿入された左右の脚全体が生地により覆われるとともに、１つの袋内に左右の脚を一緒に挿入することができるので、使用者はズボンやスカートを履いたままでも左右の脚全体を効率よく温めることができる。
【０００６】
一方で、１つの袋内に左右の脚を挿入することで脚の自由度が制限されてしまうため、基本的に歩く際には脚温袋を脱ぐ必要があるが、近くのものを取りに行くために少し歩く程度の場合は脱ぐのが手間になるため、着用したまま歩こうとすることが考えられる。しかし、袋内で片足を前に踏み出そうとすると、浮いた足は袋の下端から離れて前方に移動するので、足が着地するときに袋の前裏面を踏みつけてしまうことがあり、これにより袋が前下方に引っ張られて脚がもつれ、転倒する危険性が高いという問題があった。
【０００７】
本考案は、このような問題点に着目してなされたもので、脚全体を温めることができるとともに、着用したまま歩く際の危険性を低減することができる脚温袋を提供することを目的とする。
【課題を解決するための手段】
【０００８】
前記課題を解決するために、本考案の着用可能な脚温袋は、
上端に開口部を有し該開口部から左右の脚を挿入して該左右の脚を温めることが可能な脚温袋であって、
前記脚温袋の下端から前記上端に向けて絞り部を形成可能であり、前記絞り部が形成されることにより前記脚温袋の下部が二股状に変形することを特徴としている。
この特徴によれば、絞り部が形成されていないときは脚温袋の空間が広く確保されているので使用者がズボンやスカートを着用したままでも両脚を脚温袋内に一緒に挿入しやすい一方で、絞り部が形成されると脚温袋の下端が上方に持ち上げられ脚温袋の下部が二股状に変形することで、脚温袋の下端における絞り部の左右側の部分が左右の足裏に密着し、前へ踏み出そうとして浮いた足裏に脚温袋の下端が追従することで、脚温袋の前面を踏み付けにくくなるため、着用したまま歩く際の危険性を低減することができる。
【０００９】
前記脚温袋の一面側から前記下端を通過して他面側に掛け渡され、前記一面に一端が取付けられた紐状体を備え、
前記絞り部は、前記紐状体の他端を上方に向けて引き上げることで形成されることを特徴としている。
この特徴によれば、紐状体の他端を上方に向けて引き上げるだけで絞り部を簡単に形成することができる。また、紐状体が一面側から他面側にかけて掛け渡されていることで、脚温袋の一面と他面とが近づくように絞り部が形成されるため、脚温袋が脚に密着しやすくなる。
【００１０】
前記紐状体は、前記脚温袋における左右方向の略中央部に配置され、左右方向への移動が規制されていることを特徴としている。
この特徴によれば、紐状体を上方に向けて引き上げるときに左右にずれにくくなるので、スムーズに引き上げることができる。
【００１１】
前記紐状体の他端を前記脚温袋の上部に係止可能な係止手段を備えることを特徴としている。
この特徴によれば、紐状体を係止手段にて係止することで、紐状体を手で把持することなく絞り部を形成した状態を維持でき、手を自由に動かせるので、歩くときの安全性が向上する。
【００１２】
前記脚温袋の一面側から他面側へ掛け渡された肩紐を備えることを特徴としている。
この特徴によれば、脚温袋を把持することなくずり落ちることを防止し、手を自由に動かせるので、歩くときの安全性が向上する。
【００１３】
前記脚温袋の表面下部における前記絞り部の左右側には、高摩擦部材が設けられていることを特徴としている。
この特徴によれば、脚温袋を着用したまま歩くときに両足が滑りにくくなるので、歩くときの安全性が向上する。
【００１４】
前記脚温袋の表面と裏面とのうち少なくとも一方に、断熱材を配置可能なポケット部が設けられていることを特徴としている。
この特徴によれば、断熱材をポケット内に配置したり取出したりすることで、脚温袋内の保温性を簡単に調整することができる。
【図面の簡単な説明】
【００１５】
【図１】本考案の実施例における脚温袋を着用した態様を示す概略図である。
【図２】（ａ）は脚温袋を示す正面図、（ｂ）は脚温袋を示す右側面図である。
【図３】（ａ）は図２（ａ）におけるＡ−Ａ断面概略図と要部拡大図であり、（ｂ）は絞り部を形成させた脚温袋を示す概略図である。
【図４】図２（ａ）におけるＢ−Ｂ断面図である。
【図５】（ａ）は使用者が脚温袋を着用した態様を示す正面図であり、（ｂ）は使用者が脚温袋を着用した状態で絞り部を形成させた態様を示す正面図である。
【図６】（ａ）は使用者が絞り部を形成させた状態を示す平面、正面、側面から見た概要図であり、（ｂ）は使用者が絞り部を形成させた状態で歩く態様を示す平面、正面、側面から見た概要図である。
【図７】（ａ）は使用者が絞り部を形成させていない状態を示す平面、正面、側面から見た概要図であり、（ｂ）は使用者が絞り部を形成させていない状態で歩く態様を示す平面、正面、側面から見た概要図である。
【考案を実施するための形態】
【００１６】
本考案に係る脚温袋を実施するための形態を実施例に基づいて以下に説明する。
【実施例１】
【００１７】
実施例１に係る脚温袋につき、図１〜図７を参照して説明する。以下、図２（ａ）の紙面手前側を脚温袋の正面側（前方側）とし、図２（ａ）の紙面奥側を脚温袋の背面側（後方側）とし、脚温袋を使用者が着用した際の左側・右側を左右方向、上側下側を上下方向として説明する。
【００１８】
図１に示される脚温袋１は、例えば、秋期から春期にかけての寒冷時において、使用者の脚を温める際に用いられる。脚温袋１に使用者が左右の脚を挿入することで、腰回りから足先にかけての脚全体を温めることができるようになっている。尚、以下においては、身体の腰部より下方の部分（下半部）を「脚」と称し、脚における足首より先の部分を「足」と称する。つまり、「足」は「脚」に含まれる。
【００１９】
図２（ａ）〜（ｂ）に示されるように、主に脚温袋１は、上端が開放され下端が閉塞されていることで袋状に形成された袋体２と、該袋体２の後面側に一端が取付けられ袋体２の下端を通過して前面側に他端が掛け渡された紐状体３と、袋体２の上端において後面側から前面側へ掛け渡された２本の肩紐４，４と、袋体２の下方側における前面側裏面と後面側裏面にそれぞれ２箇所ずつ設けられたポケット５，５、ポケット６，６と、袋体２の前面側の中央部上方側に配置された被係止部７と、袋体２の下方側に２箇所配置された高摩擦部材８，８と、から主に構成されている。
【００２０】
袋体２は主に、それぞれ正面視略縦長長方形状に裁断された前面部２０、後面部２１、左側面部２２、右側面部２３、底面部２４とから構成されており、隣接する端部を縫い合わせることで、上端部（上辺部）に開口部２６が形成された略四角箱型形状に形成される。各部は、表生地Ｆと、裏生地Ｂと、中綿（図示略）とから構成され、それぞれ綿素材からなる生地から構成されている。前面部２０、後面部２１及び底面部２４の左右寸法は、標準的な体型の使用者が肩幅程度に脚を広げたときの左右寸法よりも長寸（例えば、約５０〜８０ｃｍなど）とされている。また、底面部２４の前後寸法は、左右寸法よりも短寸（例えば、約２０〜５０ｃｍなど）とされているが、種々に変更可能である。このように袋体２は、内部に左右の脚を挿入した状態で、脚を組むなどある程度動かすことができる大きさを有しているとともに、底面部２４を有していることで足が前面部２０と後面部２１により前後から圧迫されにくくなっている。
【００２１】
袋体２の上端部には、伸縮性を有する伸縮材２５が周方向に配置されている。使用者が脚温袋１を着用する際において、伸縮材２５はゴムバンド等の伸縮性のある素材から構成されており、伸縮材２５が伸びることで使用者が脚温袋１に脚を挿入しやすく、着用後においても伸縮材２５が収縮して上端部が使用者の腰部に密着するので、脚温袋１の内部温度（使用者の体温）が袋体２の上端部と使用者との間から逃げることを防ぐようになっている。また、伸縮材２５はゴムバンドに限られず、脚温袋１の着用時において使用者の腰部に袋体２の上端部を密着させることができれば良く、例えば、袋体２の上端部に腰ひもを周方向に配置し着用時に縛って使用者の腰部に袋体２の上端部を密着させることとしてもよい。
【００２２】
袋体２の左側面部２２及び右側面部２３には、上端から下方に向けてファスナー２７がそれぞれ配置されている。ファスナー２７は、左側面部２２及び右側面部２３の前後方向における略中央部において、上端部から左側面部２２及び右側面部２３の上下方向における略中央部よりやや下側の位置まで延びている。スライダー２７Ａをファスナー２７に沿って下方に向けて移動させることで、左側面部２２及び右側面部２３の上端部から略中央下部の位置まで左右分岐させることができるようになっており、使用者が脚温袋１を着用する際にファスナー２７，２７を下ろすことで、開口部２６に加えて左側面部２２と右側面部２３の上部も開放されるので脚を脚温袋１内に挿入し易くなる。
【００２３】
また、前面部２０と後面部２１の上端左右側には、２本の肩紐４，４が前後に掛け渡されていることで、袋体２に脚を挿入し、袋体２の上端部が使用者の腰付近に位置するように肩紐４，４を使用者の肩に掛けることで、起立時や歩く際において袋体２が下方に向けて滑り落ちることを防ぐようになっている。尚、肩紐４，４の長さを調整可能としてもよい。
【００２４】
袋体２の表面下部には、表生地Ｆの表面よりも摩擦係数の高い塩化ビニールシートやゴムなどからなる高摩擦部材８，８が設けられている。高摩擦部材８，８は、紐状体３の左右側において、前面部２０と底面部２４と後面部２１とに亘って側面視上向き略コ字形をなすように縫い付けられており、使用者が脚温袋１を着用したまま起立したりや歩く際に高摩擦部材８，８が床面と接することで脚温袋１と床面とが滑りにくくなっている。
【００２５】
また、袋体２の前面部２０の表面における中央部上方側には、被係止部７が配置されている。被係止部７は、紐状体３の前端３Ｂに取付けられた係止部７０と係脱可能となっており、紐状体３の前端３Ｂを上方に向けて引き上げて絞り部９が形成された際に上方に引き上げられた前端３Ｂの係止部７０を被係止部７に係止させることで、絞り部９が形成された状態を維持できるようになっている。尚、係止部７０と被係止部７とからなる係止手段は、点ファスナー、面ファスナー、ボタンと孔等を適用可能である。
【００２６】
図２（ａ），（ｂ）及び図４に示されるように、袋体２の前面部２０の裏生地Ｂにおける下方には、紐状体３を挟んで左右にそれぞれ正面視略矩形状のポケット５，５が配置されている。後面部２１の裏生地Ｂ側における下方側には、紐状体３を挟んで左右にそれぞれポケット６，６が配置されている。ポケット５，５及びポケット６，６は、略矩形状の布体の両側部と底部とを裏生地Ｂに縫い付けられて形成されており、上端部は開放され開口部５Ａ，５Ａ及び開口部６Ａ，６Ａが形成されている。該開口部５Ａ，５Ａ及び開口部６Ａ，６Ａから、シート状に形成された発泡ポリエチレン材やアルミ材からなる断熱シートＤを挿入しそれぞれ配置させることで、脚温袋１の断熱性や保温性を高め、特に足先を好適に温めることができるようになっている。
【００２７】
図２（ａ），（ｂ）及び図３（ａ），（ｂ）に示されるように紐状体３は、帯板状の紐であり、後端３Ａと、前端３Ｂと、を有し、後端３Ａは、後面部２１の裏生地Ｂにおける左右方向略中央部であって、上下方向略中央部よりもやや下方の位置に縫い付けられ固定されている。後面部２１と底面部２４と前面部２０との裏生地Ｂには、左右方向における略中央部に複数の矩形状のスリットＳ１が上下及び前後方向に等間隔おきに形成されている。スリットＳ１の左右幅及び上下幅は、紐状体３の左右幅及び上下幅よりも僅かに幅広に形成されている。紐状体３は、複数のスリットＳ１に表面側と裏面側とから交互に挿通されており、前端３Ｂは、前面部２０の表生地Ｆに形成されたスリットＳ２から正面側に延出されている。また、前端３Ｂには、上述した被係止部７に係止可能な係止部７０が取付けられており、係止部７０がスリットＳ２の左右寸法よりも長寸とされていることで前面部２０の裏生地Ｂ側への移動が規制されている。また、スリットＳ１は裏生地Ｂのみに形成され表生地Ｆに露呈しないことから、袋体２の温められた空気が外部に逃げ難く、美観に優れている。
【００２８】
また、図３（ａ）左方の要部拡大図に示されるように、前面部２０、後面部２１及び底面部２４の裏生地Ｂにおける隣り合うスリットＳ１とスリットＳ１間において、紐状体３が裏側（表生地Ｆと反対の内側）を挿通している部分は表生地Ｆに縫い付けられている一方で、裏生地Ｂにおける隣り合うスリットＳ１とスリットＳ１間において紐状体３が表側（表生地Ｆ側）を挿通している部分は表生地Ｆに縫い付けられておらず表生地Ｆに対し離間可能になっている。
【００２９】
このように表生地Ｆと裏生地Ｂとを一部縫い付けて一体化させているので、図３（ｂ）に示されるように、紐状体３の前端３Ｂを把持して上方に向けて引き上げると、紐状体３が挿通されている裏生地Ｂと一体的に表生地Ｆも上方に向けて引き上げられるようになっている。紐状体３が引き上げられることで、袋体２の底面部２４の左右方向における略中央部が上端の開口部２６側へ引き上げられるとともに、前面部２０及び後面部２１が互いに近づくように近接するようになっており、袋体２の底面部２４（下辺部）における左右方向の略中央部から上方に向けて絞り部９が延設され、脚温袋１の下部が二股状に変形する。尚、スリットＳ２と紐状体３の後端３Ａが縫い付けられている位置は、挿入された脚の膝付近になることが好ましい。
【００３０】
次に、図５（ａ），（ｂ）を用いて脚温袋１を着用した使用者が、起立姿勢から絞り部９を形成させる態様について説明する。
【００３１】
図５（ａ）は、使用者が脚温袋１を着用した態様を示している。脚温袋１を着用すると、開口部２６に取付けられた伸縮材２５が使用者の腰回りに好適に密着し、使用者の両肩部に肩紐４，４を掛けることができるので、使用者の体温が袋体２の開口部２６から逃げ難く、起立姿勢の際においても、開口部２６が下方に向けて滑り落ちないようになっている。
【００３２】
図５（ａ）に示されるように、左右の脚を挿入した後、例えば、使用者は椅子などに着席した状態で、左右の脚を左側面部２２と右側面部２３とに近づくように広げた後、図５（ｂ）に示されるように、左右の足を底面部２４に付けたまま互いに近づけながら紐状体３の前端３Ｂを上方に引き上げると、後端３Ａが後面部２１に固定されていることで、底面部２４の左右方向の中央部が上方に吊り上がって正面視略山型に変形する。つまり、袋体２の左右方向の略中央部における上下寸法が短寸になるように上下方向に絞るとともに、前面部２０と後面部２１との前後方向の離間寸法が短寸になるように前後方向に絞る絞り部９が形成され（図３（ｂ）参照）、袋体２の左右方向略中央下部が二股状に変形する。尚、袋体２の左右寸法が長寸であるほど、絞り部９が形成されたときに底面部２４の左右方向の中央部がより上方に吊り上がるようになる。
【００３３】
次に、図６（ａ），（ｂ）及び図７（ａ），（ｂ）を用いて、脚温袋を着用した状態で絞り部を形成せずに歩く際の態様と、絞り部を形成して歩く際の態様とを説明する。尚、図６（ａ），（ｂ）及び図７（ａ），（ｂ）において斜線で示す領域は足が床面に接地している態様を示している。
【００３４】
図７（ａ）は、脚温袋１を着用した状態で起立した態様を示している。この起立状態から使用者が絞り部９を形成しないまま、右足Ｒを前に踏み出そうとすると、図７（ｂ）に示されるように、上方に浮いた右足Ｒが脚温袋１の底面部２４から離間したまま前方に移動するので、右足Ｒが前方で着地する際に、脚温袋１の前面部２０の裏生地Ｂを踏みつけてしまう。袋体２は、肩紐４により上端部が腰部付近に位置するように支持されているため、袋体２全体が前下方に引っ張られて袋内で脚がもつれるとともに、体勢が前傾してしまうことから転倒する危険性が高い。
【００３５】
これに対し、図６（ａ）に示されるように、脚温袋１を着用した状態で絞り部９が形成されると、底面部２４の左右方向の略中央部が上方に吊り上がることで、絞り部９の左右に配置された脚の特に足裏に底面部２４が密着する。また、絞り部９が形成された状態で紐状体３の前端３Ｂの係止部７０を被係止部７に係止することで、絞り部９が形成された状態が維持される。図６（ｂ）に示されるように、絞り部９が形成された状態で右足Ｒを前方へ踏み出そうとすると、浮き上がった右足Ｒの底面に紐状体３により上方に引っ張られた底面部２４が密着したまま追従して前方に移動し、右足Ｒが前方でも底面部２４上に着地するので前面部２０の裏生地Ｂを踏み付けることがなく、袋体２全体が前下方に引っ張られて袋内で脚がもつれることもないので、着用したまま歩く際の危険性を低減することができる。
【００３６】
以上説明したように、本考案の実施例としての脚温袋１は、脚温袋１の下端から上端に向けて絞り部９を形成可能であり、絞り部９が形成されることにより脚温袋１の下部が二股状に変形する。このように構成されていることで、絞り部９が形成されていないときは、脚温袋１の空間が広く確保されているので、使用者がズボンやスカートを着用したままでも両脚を脚温袋１内に一緒に挿入しやすいばかりか、空間内で左右の脚を自由に動かすことができるため、使い勝手がよい一方で、絞り部９が形成されると、脚温袋１の下端が上方に持ち上げられ脚温袋１の下部が二股状に変形することで、脚温袋１の下端である底面部２４における絞り部９の左右側の部分が左右の足裏に密着し、前へ踏み出そうとして浮いた足裏に底面部２４が追従することで、脚温袋１の前面部２０を踏み付けにくくなるため、着用したまま歩く際の危険性を低減することができる。
【００３７】
また、脚温袋１の一面側としての後面部２１側から底面部２４を通過して、他面側としての前面部２０側に掛け渡され、後面部２１に後端３Ａが取付けられた紐状体３を備え、絞り部９は、紐状体３の前端３Ｂを上方に向けて引き上げることで形成されることから、紐状体３の底面部２４を上方に向けて引き上げるだけで絞り部９を簡単に形成することができる。また、紐状体３が後面部２１から底面部２４を通して前面部２０にかけて側面視略Ｕ字形または略Ｖ字形をなすように掛け渡されていることで、脚温袋１の前後面が近づくように絞り部９が形成され、脚温袋１が左右の脚により密着して歩きやすくなる。
【００３８】
また、紐状体３は、脚温袋１における左右方向の略中央部に配置され、左右方向への移動が規制されていることから、紐状体３を上方に向けて引き上げるときに左右にずれにくくなるので、スムーズに引き上げることができる。
【００３９】
また、紐状体３の前端３Ｂを脚温袋１の上部に係止可能な被係止部７を備えることから、紐状体３を被係止部７に係止させることで、紐状体３を手で把持することなく絞り部９を形成した状態を維持でき、手を自由に動かせるので、歩くときの安全性が向上する。
【００４０】
また、脚温袋１の後面側から前面側へ掛け渡された肩紐４を備えることから、使用者が肩紐４を装着することで、脚温袋１を把持することなくずり落ちることを防止しながら、手を自由に動かせるので、歩くときの安全性が向上する。
【００４１】
また、脚温袋１の表生地Ｆの下部における絞り部９の左右側には、高摩擦部材８，８が設けられていることから、脚温袋１を着用したまま歩くときに両足が滑りにくくなるので、歩くときの安全性が向上する。
【００４２】
また、脚温袋１の表生地Ｆと裏生地Ｂとのうち少なくとも一方に、断熱シートＤを配置可能なポケット５，５、ポケット６，６が設けられていることから、断熱シートＤをポケット５，５、ポケット６，６に配置したり取出したりすることで、脚温袋１内の保温性を簡単に調整することができる。
【００４３】
以上、本考案の実施例と変形例を図面により説明してきたが、具体的な構成はこれら実施例に限られるものではなく、本考案の要旨を逸脱しない範囲における変更や追加があっても本考案に含まれる。
【００４４】
例えば、前記実施例では、袋体２が正面視略縦長長方形状の底面部２４を有する正面視略箱型形状に形成されている形態を例示したが、本考案はこれに限定されるものではなく、例えば、上端が開放された円筒形状の袋体としてもよいし、また、底部を設けず、四角形状の２枚の布の左右側辺と下辺とを縫い合わせてなる袋体としてもよい。
【００４５】
また、前記実施例では、紐状体３は、後端３Ａを袋体２の後面部２１に縫い付けて、前端３Ｂを底面部２４を通過させて前面部２０に配置させる形態を例示したが、本考案はこれに限定されるものではなく、例えば、後端３Ａを袋体２の前面部２０に縫い付けて、前端３Ｂを底面部２４を通過させて後面部２１に配置させることとしてもよい。また、後端３Ａを袋体２の底面部２４（下端、下辺部）に縫い付けて、前端３Ｂを上方に向けて引き上げできるようになっていればよい。また、紐状体３は必ずしも各スリットＳ１内に挿通されていなくてもよい。
【００４６】
前記実施例では、紐状体３は、裏生地Ｂに形成された複数のスリットＳ１を挿通させて配置され、紐状体３の帯の部分が表生地Ｆから露出しないように配置されている形態を例示したが、本考案はこれに限定されるものではなく、例えば、表生地Ｆに形成された複数のスリットに紐状体３を挿通されていてもよい。また、スリットを形成せずに、表生地Ｆの表面に縫い付けたカバー部材の内部に紐状体３を移動可能に挿通してもよい。
【００４７】
また、前記実施例では、袋体２は、表生地Ｆと裏生地Ｂとが植物素材としての綿から構成されている形態を例示したが、本考案はこれに限定されるものではなく、例えば、ウールやフリースなど素材は種々に変更可能である。
【００４８】
また、前記実施例では、ポケット５，６は袋体２の裏生地Ｂ側に配置されている形態を例示したが、本考案はこれに限定されるものではなく、例えば、袋体２の表生地Ｆ側に配置させるようにしてもよい。
【００４９】
また、前記実施例では、紐状体３の前端３Ｂに取り付けられた係止部７０を被係止部７に係止させることで絞り部９を形成した状態を維持する形態を例示したが、本考案はこれに限定されるものではなく、例えば、袋体２の上端部に腰ひもを周方向に配置するとともに紐状体３の前端３Ｂにリング状の環状体を取り付け、着用時に腰ひもを縛る前に、腰ひもの端部を環状体に挿通させて縛ることで絞り部９を形成した状態を維持させることとしてもよい。
【００５０】
また、前記実施例では、ポケット５，６は、上端部が開放されている形態を例示したが、本考案はこれに限定されるものではなく、例えば、上端部にファスナーを取り付け開閉可能にしてもよい。
【符号の説明】
【００５１】
１                脚温袋
２                袋体
３                紐状体
３Ａ              後端（一端）
３Ｂ              前端（他端）
４                肩紐
５，６            ポケット
７                被係止部（係止手段）
７０              係止部（係止手段）
８                高摩擦部材
９                絞り部
２５              伸縮材
Ｂ                裏生地
Ｄ                断熱シート（断熱材）
Ｆ                表生地
【図１】
0003231703.tif 000003
【図２】
0003231703.tif 000004
【図３】
0003231703.tif 000005
【図４】
0003231703.tif 000006
【図５】
0003231703.tif 000007
【図６】
0003231703.tif 000008
【図７】
0003231703.tif 000009